(57)【要約】【目的】動画ファイルをダウンロードしたユーザが利益を得るようにする。【構成】携帯電話１から動画送信サーバ２に動画ファイル・リクエストが送信される。リクエストに応じた動画ファイルが動画データベース３から見つけられる。見つけられた動画ファイルのヘッダにメタ・データとして特典ウェブ・ページにアクセスできるパスワードが格納される。動画ファイルが携帯電話１においてダウンロードされると，動画ファイルに格納されているパスワードをユーザが知ることができる。携帯電話１のユーザは，そのパスワードを利用して特典ウェブ・ページにアクセスできる。動画ファイルをダウンロードしたユーザのみ利益を得ることができる。【選択図】図１
2010176480.tif 000002
【特許請求の範囲】
【請求項１】
クライアント端末装置から送信された動画ファイル・リクエストを受信する動画ファイル・リクエスト受信手段，
上記動画ファイル・リクエスト受信手段によって受信した動画ファイル・リクエストによってリクエストされた動画ファイルを見つける動画ファイル検索手段，
上記動画ファイル検索手段によって見つけられた動画ファイルのヘッダに，上記動画ファイル検索手段によって見つけられた動画ファイルをダウンロードしたユーザがアクセスできる特典ウェブ・ページへのアクセス・パスワードを格納するアクセス・パスワード格納手段，および
上記アクセス・パスワード格納手段によってアクセス・パスワードがヘッダに格納された動画ファイルを，上記クライアント端末装置に送信する動画ファイル送信手段，
を備えた動画ファイル送信サーバ。
【請求項２】
上記クライアント端末装置から送信されたアクセス・パスワードを受信するアクセス・パスワード受信手段，
上記アクセス・パスワード受信手段によって受信したアクセス・パスワードと上記アクセス・パスワード格納手段によって動画ファイルのヘッダに格納されたアクセス・パスワードとが一致するかどうかを判定するアクセス・パスワード判定手段，
上記アクセス・パスワード判定手段によって一致すると判定されたことに応じて，上記クライアント端末装置に，上記動画ファイルをダウンロードしたユーザがアクセスできる特典ウェブ・ページを表すデータを送信する特典ウェブ・ページ・データ送信手段，
をさらに備えた請求項１に記載の動画ファイル送信サーバ。
【請求項３】
上記クライアント端末装置が置かれている国を判定する国判定手段，
上記動画ファイル検索手段によって見つけられた動画ファイルによって表される動画の説明文を表わすデータを，上記国判定手段によって判定された国における使用言語を用いて生成する説明文データ生成手段，
上記説明文データ生成手段によって生成された説明文データを，上記動画ファイル検索手段によって見つけられた動画ファイルのヘッダに格納する説明文データ格納手段をさらに備え，
上記動画ファイル送信手段は，
上記アクセス・パスワード格納手段によってアクセス・パスワードがヘッダに格納され，かつ上記説明文データ格納手段によって説明文データがヘッダに格納された動画ファイルを，上記クライアント端末装置に送信するものである，
請求項１または２に記載の動画ファイル送信サーバ。
【請求項４】
上記特典ウェブ・ページ・データ送信手段が，
上記国判定手段によって判定された国における使用言語を用いた特典ウェブ・ページを表すデータを，上記クライアント端末装置に送信するものである，
請求項３に記載の動画ファイル送信サーバ。
【請求項５】
上記アクセス・パスワード格納手段は，
上記動画ファイル検索手段によって見つけられた動画ファイルのヘッダに，上記動画ファイル検索手段によって見つけられた動画ファイルによって表される動画のジャンルを表わす情報が含まれており，かつ上記動画ファイル検索手段によって見つけられた動画ファイルをダウンロードしたユーザがアクセスするウェブ・ページへのアクセス・パスワードを格納するものである，
請求項１から４のうちいずれか一項に記載の動画ファイル送信サーバ。
【請求項６】
動画ファイル・リクエスト受信手段が，クライアント端末装置から送信された動画ファイル・リクエストを受信し，
動画ファイル検索手段が，上記動画ファイル・リクエスト受信手段によって受信した動画ファイル・リクエストによってリクエストされた動画ファイルを見つけ，
アクセス・パスワード格納手段が，上記動画ファイル検索手段によって見つけられた動画ファイルのヘッダに，上記動画ファイル検索手段によって見つけられた動画ファイルをダウンロードしたユーザがアクセスできる特典ウェブ・ページへのアクセス・パスワードを格納し，
動画ファイル送信手段が，上記アクセス・パスワード格納手段によってアクセス・パスワードがヘッダに格納された動画ファイルを，上記クライアント端末装置に送信する，
動画ファイル送信サーバの動作制御方法。
【発明の詳細な説明】
【技術分野】
【０００１】
この発明は，動画ファイル送信サーバおよびその動作制御方法に関する。
【背景技術】
【０００２】
動画ファイルにはメタ・データと呼ばれるデータが付加されることがある。このようなメタ・データには，シーン，オブジェクトなどの動画の内容，検索のためのキーワード，番組，パッケージなどの情報，タイトル，著作権者，作成者，内容の説明などのデータがある。動画の内容に応じてメタ・データを生成するもの（特許文献１），メタ・データに有効期限を設けるもの（特許文献２），ユーザ・カテゴリに応じて参照可能なメタ・データを選択するもの（特許文献３）などがある。
【先行技術文献】
【特許文献】
【０００３】
【特許文献１】特開2002-318807号公報
【特許文献２】特開2006-50105号公報
【特許文献３】特開2005-26717号公報
【０００４】
しかしながら，いずれも単に動画ファイルにメタ・データを付加するものであり，容量が大きく通信費用も高くなるような動画ファイルをダウンロードしたユーザが利益を得ることができるようなことは考えられていない。
【発明の概要】
【０００５】
この発明は，動画ファイルをダウンロードしたユーザが利益を得ることができるようにすることを目的とする。
【０００６】
この発明による動画ファイル送信サーバは，クライアント端末装置から送信された動画ファイル・リクエストを受信する動画ファイル・リクエスト受信手段，上記動画ファイル・リクエスト受信手段によって受信した動画ファイル・リクエストによってリクエストされた動画ファイルを見つける動画ファイル検索手段，上記動画ファイル検索手段によって見つけられた動画ファイルのヘッダに，上記動画ファイル検索手段によって見つけられた動画ファイルをダウンロードしたユーザがアクセスできる特典ウェブ・ページへのアクセス・パスワードを格納するアクセス・パスワード格納手段，および上記アクセス・パスワード格納手段によってアクセス・パスワードがヘッダに格納された動画ファイルを，上記クライアント端末装置に送信する動画ファイル送信手段を備えていることを特徴とする。
【０００７】
この発明は，上記動画ファイル送信サーバの動作制御方法も提供している。すなわち，この方法は，動画ファイル・リクエスト受信手段が，クライアント端末装置から送信された動画ファイル・リクエストを受信し，動画ファイル検索手段が，上記動画ファイル・リクエスト受信手段によって受信した動画ファイル・リクエストによってリクエストされた動画ファイルを見つけ，アクセス・パスワード格納手段が，上記動画ファイル検索手段によって見つけられた動画ファイルのヘッダに，上記動画ファイル検索手段によって見つけられた動画ファイルをダウンロードしたユーザがアクセスできる特典ウェブ・ページへのアクセス・パスワードを格納し，動画ファイル送信手段が，上記アクセス・パスワード格納手段によってアクセス・パスワードがヘッダに格納された動画ファイルを，上記クライアント端末装置に送信するものである。
【０００８】
この発明によると，クライアント端末装置から動画ファイル・リクエストが送信され，その動画ファイル・リクエストが動画ファイル送信サーバにおいて受信される。受信した動画ファイル・リクエストによってリクエストされた動画ファイルが見つけられ，見つけられた動画ファイルのヘッダに，その動画ファイルをダウンロードしたユーザがアクセスできる特典ウェブ・ページへのアクセス・パスワードが格納される。アクセス・パスワードがヘッダに格納された動画ファイルが動画ファイル送信サーバからクライアント端末装置に送信される。
【０００９】
クライアント端末装置のユーザは，動画ファイルを受信するとその動画ファイルのヘッダに格納されているアクセス・パスワードを知ることができる。アクセス・パスワードを用いて，その動画ファイルをダウンロードしたユーザがアクセスできるウェブ・ページにアクセスできるようになる。そのウェブ・ページに動画ファイルをダウンロードしたユーザのみが知ることができる情報を記述することにより，そのユーザのみが利益を得るような情報を知らせることができる。
【００１０】
上記クライアント端末装置から送信されたアクセス・パスワードを受信するアクセス・パスワード受信手段，上記アクセス・パスワード受信手段によって受信したアクセス・パスワードと上記アクセス・パスワード格納手段によって動画ファイルのヘッダに格納されたアクセス・パスワードとが一致するかどうかを判定するアクセス・パスワード判定手段，上記アクセス・パスワード判定手段によって一致すると判定されたことに応じて，上記クライアント端末装置に，上記動画ファイルをダウンロードしたユーザがアクセスできる特典ウェブ・ページを表すデータを送信する特典ウェブ・ページ・データ送信手段をさらに備えるようにしてもよい。
【００１１】
また，上記クライアント端末装置が置かれている国を判定する国判定手段，上記動画ファイル検索手段によって見つけられた動画ファイルによって表される動画の説明文を表わすデータを，上記国判定手段によって判定された国における使用言語を用いて生成する説明文データ生成手段，上記説明文データ生成手段によって生成された説明文データを，上記動画ファイル検索手段によって見つけられた動画ファイルのヘッダに格納する説明文データ格納手段をさらに備えてもよい。
【００１２】
上記動画ファイル送信手段は，たとえば，上記アクセス・パスワード格納手段によってアクセス・パスワードがヘッダに格納され，かつ上記説明文データ格納手段によって説明文データがヘッダに格納された動画ファイルを，上記クライアント端末装置に送信するものである。
【００１３】
上記特典ウェブ・ページ・データ送信手段は，たとえば，上記国判定手段によって判定された国における使用言語を用いた特典ウェブ・ページを表すデータを，上記クライアント端末装置に送信するものである。
【００１４】
上記アクセス・パスワード格納手段は，たとえば，上記動画ファイル検索手段によって見つけられた動画ファイルのヘッダに，上記動画ファイル検索手段によって見つけられた動画ファイルによって表される動画のジャンルを表わす情報が含まれており，かつ上記動画ファイル検索手段によって見つけられた動画ファイルをダウンロードしたユーザがアクセスするウェブ・ページへのアクセス・パスワードを格納するものである。
【図面の簡単な説明】
【００１５】
【図１】動画ファイル通信システムの概要である。
【図２】動画送信サーバの電気的構成を示すブロック図である。
【図３】メタ・データの一例である。
【図４】携帯電話の処理手順を示すフローチャートである。
【図５】動画送信サーバの処理手順を示すフローチャートである。
【図６】ダウンロード用ウェブ・ページの一例である。
【図７】動画ファイルのファイル構造を示している。
【図８】携帯電話の処理手順を示すフローチャートである。
【図９】ウェブ・サーバの処理手順を示すフローチャートである。
【図１０】認証ウェブ・ページの一例である。
【図１１】特典ウェブ・ページの一例である。
【図１２】動画送信サーバの処理手順を示すフローチャートである。
【実施例】
【００１６】
図１は，この発明の実施例を示すもので，動画ファイル通信システムの概要である。
【００１７】
動画ファイル通信システムには，インターネットのようなネットワークを介して互いに通信可能な携帯電話１，動画送信サーバ２およびウェブ・サーバ６が含まれている。携帯電話１に限らずクライアント・コンピュータなどインターネットなどのネットワークに接続できる装置であればよい。
【００１８】
動画送信サーバ２には，動画データベース３，メタ・データ記憶データベース４および内部状態記憶データベース５が接続されている。また，ウェブ・サーバ６には，メタ・データ記憶データベース４が接続されている。
【００１９】
動画データベース３には，多数の動画ファイルが格納されている。メタ・データ記憶データベース４には詳しくは後述するように（図３参照），動画ファイルに格納されるメタ・データが格納されている。内部状態記憶データベース５には，メタ・データに追加する所定のデータが格納されている。
【００２０】
図２は，動画送信サーバ２の電気的構成を示すブロック図である。
【００２１】
動画送信サーバ２の全体の動作は，ＣＰＵ10によって統括される。
【００２２】
動画送信サーバ２には，ネットワーク・インターフェイス11が含まれており，このネットワーク・インターフェイス11によって動画送信サーバ２がインターネットを介して携帯電話１等と通信可能となる。また，動画送信サーバ２には，後述する動作を制御する動作プログラム，所定のデータ等を格納するメモリ12，キーボード，マウスなどの入力装置13および表示装置14も含まれている。
【００２３】
さらに，動画送信サーバ２には，第１のデータベース・インターフェイス15，第２のデータベース・インターフェイス16および第３のデータベース・インターフェイス17も含まれている。第１のデータベース・インターフェイス15は動画データベース３に接続され，第２のデータベース・インターフェイス16はメタ・データ記憶データベース４に接続され，第３のデータベース・インターフェイス17は内部状態記憶データベース５に接続されている。
【００２４】
動画送信サーバ２には，時計18も含まれている。
【００２５】
ウェブ・サーバ６も動画送信サーバ２と同様に，ＣＰＵ，ネットワーク・インターフェイス，メモリ，入力装置，表示装置，メタ・データ記憶データベース４に接続するためのデータベース・インターフェイスが含まれているのはいうまでもない。
【００２６】
図３はメタ・データ記憶データベース４に格納されているメタ・データの一例である。
【００２７】
メタ・データには，パスワード（合言葉），会員番号，アクセス元地域，アクセス時間，ジャンルなどが含まれている。これらのメタ・データは，携帯電話１から送信される動画ファイル・リクエストが動画送信サーバ２において受信された時に生成される。
【００２８】
パスワードは，動画ファイル・リクエストを送信した携帯電話１に固有のものが生成される。会員番号は，動画ファイル・リクエストが特定の会員にのみ認められている場合にメタ・データとなる。会員番号は，携帯電話１から送信される動画ファイル・リクエストの中に格納されており，その動画ファイル・リクエストの中から読み取られる。アクセス元地域は，携帯電話１が存在する地域である。このアクセス元地域についてのデータもいたい電話１から送信される動画ファイル・リクエストの中に格納されている。アクセス時間は，動画送信サーバ２が動画ファイル・リクエストを送信した時間または受信した時間である。ジャンルは，動画ファイル・リクエストによってリクエストされた動画のジャンルを示している。
【００２９】
図４および図５は，動画ファイルの送受信を示すフローチャートである。図４は携帯電話の処理手順を示すフローチャート，図５は動画送信サーバ２の処理手順を示すフローチャートである。図６は携帯電話１の表示画面に表示されるウェブ・ページの一例である。
【００３０】
動画ファイルの送受信が行われる場合，携帯電話１の表示画面に図６に示すダウンロード用ウェブ・ページ41が表示される。このダウンロード用ウェブ・ページのアドレスは携帯電話１のユーザはあらかじめ知っているものとする。
【００３１】
ダウンロード用ウェブ・ページ41には，動画ファイルをダウンロードしたら特典が与えられる旨の表示およびクリック可能なダウンロード領域（ボタン）43が表示されている。ダウンロード領域43がクリックされることにより，携帯電話１から動画送信サーバ２に動画ファイル・リクエストが送信される（図４ステップ21）。携帯電話１から送信された動画ファイル・リクエストが動画送信サーバ２において受信されると（図５ステップ31），受信した動画ファイル・リクエストが解析されて動画ファイル・リクエストによって特定される動画ファイルが動画データベース３の中から見つけられる（図５ステップ32）。
【００３２】
動画ファイル・リクエストには，ヘッダ，拡張ヘッダ，ボディなどが含まれている。動画ファイルが格納されている場所を示すＵＲＬ（Uniform Resource Locator）がボディに記述されている。ＵＲＬは，クエリ・パラメータを含むことができる。動画ファイル・リクエストに拡張ヘッダ，ボディなどを含む場合，ＵＲＬにクエリ・パラメータを含む場合にはあらかじめ定められた形式をもつこととなる。
【００３３】
また，動画送信サーバ２において，受信した動画ファイル・リクエストのヘッダに記述されている情報からアクセス時間（上述のように動画送信サーバ２が動画ファイル・リクエストを受信した時間を利用してもよい），携帯電話１の機種などが検出される。さらに，動画ファイル・リクエストの拡張ヘッダ，ボディ，クエリ・パラメータなどから，携帯電話１のユーザ（会員番号），アクセス元地域などが検出される。
【００３４】
動画ファイル・リクエストの解析が終わると，解析等により得られたデータを用いてメタ・データが生成される（図５ステップ33）。この実施例では，メタ・データは上述したように，パスワード，会員番号，アクセス元地域，アクセス時間，ジャンルなどから構成される。
【００３５】
メタ・データが生成されると，その生成されたメタ・データが見つけられた動画ファイルのヘッダに格納される（図５ステップ34）。
【００３６】
図７は，動画ファイルのファイル構造（データ構造）の一例である。
【００３７】
動画ファイル50にはヘッダ領域51とデータ領域52とが含まれている。
【００３８】
ヘッダ領域51には所定の管理データのほかに上述のようにメタ・データが格納される。メタ・データは，メタ・データが開始する旨のタグ情報につづいてヘッダ領域51に格納される。データ領域52には，動画を表すデータが格納されている。
【００３９】
メタ・データが動画ファイルに格納されると，その動画ファイルが動画送信サーバ２から携帯電話１に送信される（図５ステップ35）。
【００４０】
動画送信サーバ２から送信された動画ファイルが携帯電話１において受信されることとなる（図４ステップ22）。
【００４１】
図８および図９は上述のようにメタ・データが格納された動画ファイルを受信した携帯電話１とウェブ・サーバ６との通信処理手順を示すフローチャートである。図８は携帯電話１の処理手順を示すフローチャートであり，図９はウェブ・サーバ６の処理手順を示すフローチャートである。
【００４２】
上述したように，ダウンロードされた動画ファイルのヘッダにはメタ・データとしてパスワードが格納されているから動画ファイルのプロパティを確認することによりパスワードを知ることができる。パスワードを利用して動画ファイルをダウンロードしたユーザのみが特典を受けることができるような特典ウェブ・ページにアクセスできる。
【００４３】
まず，携帯電話１からウェブ・サーバ６に特典ウェブ・ページ・リクエストが送信される（図８ステップ61）。特典ウェブ・ページ・リクエストのアドレスは，あらかじめ携帯電話１のユーザに報知されているのはいうまでもない。たとえば，ダウンロードされた動画ファイルのヘッダに特典ウェブ・ページ・リクエストのアドレスを格納してもよいし，ダウンロード用ウェブ・ページ（図６参照）に記述するようにしてもよい。
【００４４】
携帯電話１から送信された特典ウェブ・ページ・リクエストがウェブ・サーバ６において受信されると（図９ステップ71），認証ウェブ・ページ・データがウェブ・サーバ６から携帯電話１に送信される（図９ステップ72）。ウェブ・サーバ６から送信された認証ウェブ・ページ・データが携帯電話１において受信されると（図８ステップ62），その認証ウェブ・ページ・データによって表される認証ウェブ・ページが携帯電話１の表示画面に表示される（図８ステップ63）。
【００４５】
図10は，認証ウェブ・ページの一例である。
【００４６】
認証ウェブ・ページ80の上部には「動画ファイルのプロパティに記述されていたパスワードを入力して下さい。」の文章81が記述されている。携帯電話１のユーザが文章81を見ることによりダウンロードした動画ファイルのプロパティからパスワードを知ることができることが分かる。文章81の下には入力表示領域82が表示されている。携帯電話１のキーパッドを利用してパスワードが入力されることに応じて，入力表示領域82にはアスタリスクが表示されていく。
【００４７】
入力表示領域82の下には「パスワード入力後に送信ボタンを押して下さい。」の文章83が記述されている。この文章82の下には，クリッカブルな送信領域84が形成されている。携帯電話１のユーザが文章82を見ることによりパスワード入力後に送信領域をクリックすればよいことが分かる。パスワード入力後に送信ボタンがクリックされることにより，入力されたパスワードが携帯電話１からウェブ・サーバ６に送信されることとなる。
【００４８】
このようにして，携帯電話１において，動画ファイルのヘッダに格納されていたパスワードが入力され（図８ステップ64），入力されたパスワードが携帯電話１からウェブ・サーバ６に送信される（図８ステップ65）。
【００４９】
携帯電話１から送信されたパスワードがウェブ・サーバ６において受信されると（図９ステップ73），受信されたパスワードの認証処理が行われる（図９ステップ74）。パスワードの認証処理は，受信したパスワードがメタ・データ記憶データベース４に格納されているかどうかによって行われる。受信したパスワードがメタ・データ記憶データベース４に格納されていれば認証されたものと見なされ，受信したパスワードがメタ・データ記憶データベース４に格納されていなければ認証されないと見なされる。
【００５０】
パスワードが認証されると（図９ステップ75でＹＥＳ），動画ファイルをダウンロードしたユーザに与えられる特典が記述された特典ウェブ・ページ・データがウェブ・サーバ６から携帯電話１に送信される（図９ステップ76）。パスワード認証がされないと（図９ステップ75でＮＯ），エラー・メッセージがウェブ・サーバ６から携帯電話１に送信される（図９ステップ77）。
【００５１】
ウェブ・サーバ６から送信された特典ウェブ・ページ・データまたはエラー・メッセージが携帯電話１において受信すると（図８ステップ66），受信した特典ウェブ・ページ・データによって表される特典ウェブ・ページまたはエラー・メッセージが携帯電話１の表示画面に表示される（図８ステップ67）。
【００５２】
図11は，携帯電話１の表示画面に表示される特典ウェブ・ページの一例である。
【００５３】
特典ウェブ・ページ90には，特典の内容を示す文章91が記述されている。この実施例ではポイントを得ることができる旨の文章91が記述されている。この文章91の下にはクリック可能な加算ボタン92が形成されている。加算ボタン92がクリックされることにより，ポイント・リクエストが携帯電話１からウェブ・サーバ６に送信される。ポイント・リクエストを受信したウェブ・サーバ６において，携帯電話１のユーザにポイントが加算されることとなる。ウェブ・サーバ６においてユーザごとのポイントが管理されているのはいうまでもない。また，特典はポイントに限らず他のものでもよい。
【００５４】
図12は，動画送信サーバの処理手順を示すフローチャートであり，図５に示すフローチャートに対応している。この図において，図５に示す処理と同じ処理については同じ符号を付している。
【００５５】
上述したように，携帯電話１から動画リクエストが送信されると，アクセス元地域（国）が分かる。すると，アクセス元地域における使用言語を用いてリクエストされた動画の説明文が生成される。生成された説明文を表すデータがメタ・データとして動画ファイルのヘッダに格納される（ステップ33Ａ，34）。
【００５６】
ユーザが読むことができる説明文を表すデータを動画ファイルに格納することができる。もっとも，アクセス元地域における使用言語を用いて動画ファイルの説明文を生成せずに複数の言語を用いてあらかじめ説明文を生成しておき，アクセス元地域における使用言語の説明文が動画ファイルに格納するようにしてもよいし，複数の言語での説明文を表すデータをすべて動画ファイルに格納し，アクセス元地域の使用言語のものが表示されるように設定してもよい。
【００５７】
動画送信サーバ２において生成されるメタ・データは上述したもののほか，次のものを生成することもできる。動画ファイルの説明文にアクセス日時に対応した挨拶を含ませる。たとえば，アクセス日時が午前中であれば「おはよう」，アクセス日時が午後であれば「こんにちは」の挨拶を含ませる。
【００５８】
また，メタ・データとして生成されるパスワードは会員のうち利用頻度の高い会員にのみ知らせるようにしてもよい。たとえば，あらかじめユーザに付与されている会員番号を動画ファイル・リクエストに含ませ，利用頻度を会員番号ごとに（ユーザごとに）算出し，利用頻度が高い会員からの動画ファイル・リクエストがあった場合に動画ファイルにパスワードを格納することができる。また，動画ファイル・リクエストを送信したユーザが会員でなかった場合には，パスワードを用いて特典ウェブ・ページにアクセスすることによりポイントの特典が得られることをユーザに知らせるようにしてもよい。
【００５９】
さらに，会員制の有無，会員であるかまたは非会員であるかにかかわらず，動画ファイル・リクエストによってリクエストされた動画のジャンルと同じジャンルの動画が他にも多数あることを示すメッセージをメタ・データとしてもよい。
【００６０】
さらに，パスワードに会員であるか非会員であるかのデータ，動画のジャンルを示すデータが含ませるようにしてもよい。たとえば，会員である場合にはパスワードの所定の桁の数字を０にし，非会員である場合にはパスワードの所定の桁を１にする。また，動画のジャンルを数字に対応させ，その数字によって動画のジャンルが分かるようにすることもできる。さらに，動画のジャンルをパスワードとしてもよい。
【００６１】
また，上述した特典ウェブ・ページでは，アクセス時間帯によって特典の内容を変えるようにしてもよい。たとえば，午前中にアクセスした場合には大きな特典が与えられ，午後にアクセスした場合には通常の特典が与えられ，夜にアクセスした場合には少ない特典が与えられるようにしてもよい。ユーザが会員であることが分かると，会員番号から分かる会員用特典ページを生成し，ユーザが会員でないことが分かると，入会用ページを生成するようにしてもよい。さらに，ダウンロードされた動画ファイルの動画のジャンルと同じジャンルの動画を紹介する特典ウェブ・ページを生成するようにしてもよい。
【００６２】
さらに，上述した実施例では動画送信サーバ２とウェブ・サーバ６とは別々のものであるが，同一のものとしてもよい。上述した動作を制御するプログラムまたはそのプログラムを格納した記録媒体を生成してもよい。
【符号の説明】
【００６３】
１  携帯電話（クライアント端末装置）
２  動画送信サーバ
６  ウェブ・サーバ
【図１】
2010176480.tif 000003
【図２】
2010176480.tif 000004
【図３】
2010176480.tif 000005
【図４】
2010176480.tif 000006
【図５】
2010176480.tif 000007
【図６】
2010176480.tif 000008
【図７】
2010176480.tif 000009
【図８】
2010176480.tif 000010
【図９】
2010176480.tif 000011
【図１０】
2010176480.tif 000012
【図１１】
2010176480.tif 000013
【図１２】
2010176480.tif 000014